(57)【要約】【課題】  サンド研磨紙等の使用に即して安全を求めながら、サンド研磨紙の単純ながら機能的構造を探り求める。【解決手段】  サンド研磨紙（１）の台紙部分と、紙シートに粒状隆起加工を施した粒状隆起加工紙クッションシート（２）の粒状隆起部分の先端部（３）とを接合施工して粒状隆起加工紙クッションシートつきサンド研磨紙（４）となるもので、サンド研磨紙（１）と粒状隆起加工紙クッションシート（２）との接合間のサンド研磨紙台紙、粒状隆起部と粒状隆起間における空気層を空気断熱化として、研磨時における発生摩擦熱を空気断熱効果をもたらし研磨熱を排除し、研磨時における研磨エラー時においても、サンド研磨紙台紙、粒状隆起部と粒状隆起部間の空気による空気抵抗、空気圧で被研磨物を保護し、空気断熱、空気抵抗、空気圧のほか粒状隆起加工紙クッションシート自身の粒状隆起群の粒状クッション化により安全研磨要素の粒状群を加え持ち、サンド研磨紙に粒状隆起加工紙クッションシートの接合施工による機能化、粒状隆起加工紙クッションシートつきサンド研磨紙（４）。【選択図】図３
0003123307.tif 000002
【実用新案登録請求の範囲】
【請求項１】
この考案は、サンド研磨紙に関わる考案で、サンド研磨紙（１）の台紙部分と、紙シートに粒状隆起加工を施した粒状隆起加工紙クッションシート（２）の粒状隆起部分の先端部（３）とを接合施工して、粒状隆起加工紙クッションシートつきサンド研磨紙（４）となるもので、サンド研磨紙（１）と粒状隆起加工紙クッションシート（２）との接合間の、サンド研磨紙台紙、粒状隆起部と粒状隆起間における空気層を空気断熱化として、研磨時における発生摩擦熱を、空気断熱効果をもたらし研磨熱を排除し、研磨時における研磨エラー時においても、サンド研磨紙台紙、粒状隆起部と粒状隆起部間の空気による空気抵抗、空気圧で被研磨物を保護、さらに、空気断熱、空気抵抗、空気圧のほか粒状隆起加工紙クッションシート自身の粒状隆起群の粒状クッション化により安全研磨要素の粒状群を加え持ち、サンド研磨紙に粒状隆起加工紙クッションシートの接合施工による機能化されてなる粒状隆起加工紙クッションシートつきサンド研磨紙（４）である。
【考案の詳細な説明】
【技術分野】
【０００１】  本考案は、研磨に関わるサンド研磨紙に関するものである。
【背景技術】
【０００２】  従来のサンド研磨紙は、研磨台紙に研磨材吹きつけなどによるサンド研磨紙である。研磨時に於て研磨台紙一重によるサンド研磨紙での研磨が多く、従来サンド研磨紙における研磨時の摩擦による摩擦熱の熱伝導は大きく、また、クッション性は無く、ミス研磨、過度の研磨による被研磨物などの保護性に欠ける。摩擦熱の排除には、使用の際、折り曲げ二重折り三重折りなどを必要とした。これら不備回避の為、研磨具などにサンド研磨紙を装着して使用を必要とすることが多い。
【考案の開示】
【考案が解決しようとする課題】
【０００３】  従来のサンド研磨紙に、粒突起状紙クッションシートを接合施すことにより、摩擦熱の伝達を柔らめ、ペーパー破損、引き裂き破損から保護し、摩擦熱からの保護、ペーパー破損、引き裂き破損などを解決する。【０００４】  本考案は、従来のサンド研磨紙の摩擦熱、破損などに対応するべく考案されたもので、簡単ながら機能構造を構成しながら、粒状隆起加工紙クッションシートを施すことによりサンド研磨紙台紙と粒状隆起部と粒状隆起部間空気層の利用空気抵抗、空気圧による摩擦熱や、簡単破損等の欠点を解決補正しながら研磨における安全を求め、すべて紙使用による安価な粒状隆起加工紙クッション加工シートの組み合わせにより、安全低価格を考えながら、摩擦熱や、簡単破損等の欠点を補正する。【０００５】  本考案は、サンド研磨紙に粒状隆起加工紙クッションシートを接合施工することにより、粒状隆起部によるクッション化、クッション性による安全研磨要素につながり、研磨者の安全使用、被研磨物への保護研磨につながる機能構造になる。
【課題を解決するための手段】
【０００６】  従来のサンド研磨紙の基本基盤となる台紙部分に、粒状隆起加工紙クッションを接合することにより、粒状隆起加工紙クッションシートつきサンド研磨紙とし、サンド研磨紙の補強、強化に繋がり、即ち、本考案の、粒状隆起加工紙クッションシートつきサンド研磨紙は、粒状隆起部と粒状隆起部間の空気層の利用可能構造となり、摩擦熱や、単純な研磨材破損、引き裂き破損などの欠陥を解決する手段となる。
【考案の効果】
【０００７】  本考案は図３に示すとおり、構造は簡単構造ながら、粒状隆起加工紙クッションシート２をサンド研磨紙１に施すことにより、摩擦熱は、サンド研磨紙台紙、粒状隆起部と粒状隆起部間の存在空間をつくり、空気により摩擦熱は断熱される効果を生じる。サンド研磨紙破損、引き裂き破損事故においても粒状隆起加工紙クッションシート２により、サンド研磨紙１と粒状隆起加工紙クッションシート２との重複台紙となり、サンド研磨紙重複基盤となる効果は、摩擦熱の断熱、被研磨材の保護の効果も同時に兼ね備える機能効果を生じる。
【考案を実施するための最良の形態】
【０００８】  本考案に使用する粒状隆起加工紙クッションシート２は、粒状隆起間存在空気層を保ちながら多粒間空気層発生によってクッション性を最大に発揮する。【０００９】  サンド研磨紙１の研磨材は、従来の市販研磨紙、ベルト状研磨紙に至る広範囲に、粒状隆起加工紙クッションシート２を施し、あらゆるサンド研磨紙に接合対応し、その形態は、自在な大きさ、長さなどに自在にシート的対応するもので、どの様な研磨具、研磨器機に対応できる機能、形態を有するものです。市場からの発注にも簡単機能加工の特徴活かし、研磨市場に簡単機能加工をもって貢献出来る自在対応性を有する研磨材である。
【実施例１】
【００１０】  本考案の粒状隆起加工紙クッションシートつきサンド研磨紙４は、従来サンド研磨紙の欠点を補う摩擦熱の断熱使用、クッション性を、最大利用したサンド研磨紙１に粒状隆起加工紙クッションシート２の接合施工によるサンド研磨紙である。
【実施例２】
【００１１】  本考案の粒状紙クッションシートつきサンド研磨紙４を、図４に示すよう研磨具、研磨器機に、本考案の粒状隆起加工紙クッションシートつきサンド研磨紙４を研磨具、研磨器機５に折り曲げ、挟み込み押さえ着装する。本考案は、研磨使用方法に関しては、従来サンド研磨紙と変わらず、機能、効果の違いは明かである。
【実施例３】
【００１２】  本考案の粒状紙クッションシートつきサンド研磨紙４を、図５に示すよう研磨具、研磨器機に、本考案の粒状隆起加工紙クッションシートつきサンド研磨紙４に両面接着紙を施し、研磨具、研磨器機５に接着接合し着装使用する。本考案は、研磨使用方法に関しては、従来サンド研磨紙変わらず、機能、効果の違いは明かである。
【図面の簡単な説明】
【００１３】
【図１】  サンド研磨紙１の斜視図
【図２】  粒状隆起加工紙クッションシート２の斜視図
【図３】  粒状隆起加工紙クッションシートつきサンド研磨紙４の斜視図
【図４】  粒状隆起加工紙クッションシートつきサンド研磨紙４を、研磨具・研磨器機５へ、研磨具、研磨器機の研磨紙押さえ込み止め具６をもって着装を示した説明模式図
【図５】  粒状隆起加工紙クッションシートつきサンド研磨紙４と研磨具・研磨器機５に、両面接着紙７を施し、接着接合し着装使用した説明模式図
【符号の説明】
【００１４】  １  サンド研磨紙
２  粒状隆起加工紙クッションシート
３  粒状隆起加工紙クッションシート粒状隆起先端部分
４  粒状隆起加工紙クッションシートつきサンド研磨紙
５  研磨具・研磨器機
６  研磨具・研磨器機の部品の一つで、サンド研磨紙や粒状隆起加工紙クッションシートつきサンド研磨紙の研磨紙押さえ込み止め具
７  両面接着紙
８  粒状隆起加工紙クッションシート粒状隆起部
【図１】
0003123307.tif 000003
【図２】
0003123307.tif 000004
【図３】
0003123307.tif 000005
【図４】
0003123307.tif 000006
【図５】
0003123307.tif 000007